(57)【特許請求の範囲】
【請求項１】
野縁受（１０）の両側に覆い被さる一対の縦部（２２，２４）を備えたハンガー（２０）とこれに係止された野縁受（１０）との間の連結をさらに補強するための野縁受及びハンガーの連結補強具であって、
前記野縁受（１０）の上片から両側に覆い被さる固定部（３１）と、前記各固定部（３１）から前記各縦部（２２，２４）に至るまで伸び縦部（２２，２４）を野縁受け外側から挟み込む挟み込み部（３２，３２）とを備え、前記野縁受（１０）に対し固定可能であることを特徴とする野縁受及びハンガーの連結補強具。
【請求項２】
前記各挟み込み部（３２，３２）が前記縦部（２２，２４）とほぼ平行であることを特徴とする請求項１に記載の野縁受及びハンガーの連結補強具。
【請求項３】
前記挟み込み部（３２，３２）の少なくとも一方にこの挟み込み部（３２，３２）と前記縦部（２２，２４）とを貫通して野縁受（１０）にネジ（３ｂ）を螺合させる貫通孔（３２ａ）を有していることを特徴とする請求項１又は２に記載の野縁受及びハンガーの連結補強具。
【請求項４】
前記固定部（３１）にこの固定部（３１）を貫通して野縁受（１０）にネジ（３ａ）を螺合させる貫通孔（３１ｃ）を有していることを特徴とする請求項１〜３のいずれかに記載の野縁受及びハンガーの連結補強具。
【請求項５】
一対の連結補強具（３０，４０）であって、前記ハンガー（２０）の前記野縁受（１０）長手方向両側から互いに嵌合可能であることを特徴とする請求項１〜４のいずれかに記載の野縁受及びハンガーの連結補強具。
【請求項６】
請求項１〜５のいずれかに記載の野縁受及びハンガーの連結補強具を用いた天井下地補強施工方法であって、
前記ハンガー（２０）の近傍で前記野縁受（１０）の上側から前記固定部（３１）で前記野縁受（１０）を挟み込むように下ろし、さらに横方向に連結補強具（３０）を前記ハンガー（２０）に近接させて、前記挟み込み部（３２，３２）間に前記ハンガー（２０）の前記縦部（２２，２４）を挟み込み、貫通孔（３１ｃ，３２ａ）にネジ（３ａ，３ｂ）を貫通させると共に前記野縁受（１０）に螺合させることを特徴とする天井下地補強施工方法。
【請求項７】
請求項１〜５のいずれかに記載の野縁受及びハンガーの連結補強具を用いた天井下地補強施工方法であって、互いに嵌合し合う野縁受（１０）及びハンガー（２０）に他の前記連結補強具（４０）をさらに嵌合させ固定することを特徴とする天井下地補強施工方法。
【発明の詳細な説明】
【技術分野】
【０００１】
本発明は、野縁受及びハンガーの連結補強具並びに天井下地補強施工方法に関する。
【背景技術】
【０００２】
従来より、特許文献１に示すように、野縁受及びハンガーを用いた施工例が存在していた。
【特許文献１】特開平７−３２４４２８号
【０００３】
そして、地震等による天井変形や脱落の防止のため、野縁受及びハンガーの連結補強の必要性が叫ばれていた。しかし、ハンガーのフック部開きを直接的に抑制でき、しかも施工後にフック部開き止めを行うことのできる簡易な野縁受及びハンガーの連結補強具並びに天井下地補強施工方法は提唱されていなかった。
【発明の開示】
【発明が解決しようとする課題】
【０００４】
かかる従来の実情に鑑みて、本発明は、ハンガーのフック部開きを有効に抑制しつつ施工の簡易な野縁受及びハンガーの連結補強具並びに天井下地補強施工方法を提供することを目的とする。
【課題を解決するための手段】
【０００５】
上記目的を達成するため、本発明に係る野縁受及びハンガーの連結補強具の特徴は、野縁受の両側に覆い被さる一対の縦部を備えたハンガーとこれに係止された野縁受との間の連結をさらに補強するために、前記野縁受の上片から両側に覆い被さる固定部と、前記各固定部から前記各縦部に至るまで伸び縦部を野縁受け外側から挟み込む挟み込み部とを備え、前記野縁受に対し固定可能であることにある。
【０００６】
前記各挟み込み部が前記縦部とほぼ平行であることが望ましい。さらに、前記挟み込み部の少なくとも一方にこの挟み込み部と前記縦部とを貫通して野縁受にネジを螺合させる貫通孔を有していてもよい。
【０００７】
また、前記固定部にこの固定部を貫通して野縁受にネジを螺合させる貫通孔を有していてもよい。さらに、一対の連結補強具であって、前記ハンガーの前記野縁受長手方向両側から互いに嵌合可能であることが望ましい。
【０００８】
上記目的を達成するため、本発明に係る天井下地補強施工方法の特徴は、
上記いずれかに記載の野縁受及びハンガーの連結補強具を用いて、前記ハンガーの近傍で前記野縁受の上側から前記固定部で前記野縁受を挟み込むように下ろし、さらに横方向に連結補強具を前記ハンガーに近接させて、前記挟み込み部間に前記ハンガーの前記縦部を挟み込み、貫通孔にネジを貫通させると共に前記野縁受に螺合させることにある。
【０００９】
また、互いに嵌合し合う野縁受及びハンガーに他の前記連結補強具をさらに嵌合させ固定してもよい。
【発明の効果】
【００１０】
上記本発明に係る野縁受及びハンガーの連結補強具並びに天井下地補強施工方法の特徴によれば、野縁受の上片から両側に覆い被さる固定部と野縁受け外側から挟み込む挟み込み部を有する簡素な構造で、かつ、簡易な施工でより強固に連結させることが可能となった。
【００１１】
本発明の他の目的、構成及び効果については、以下の発明の実施の形態の項から明らかになるであろう。
【発明を実施するための最良の形態】
【００１２】
次に、適宜添付図面を参照しながら、本発明をさらに詳しく説明する。
図１〜３に示すように、本発明に係る天井下地連結補強構造１は、大略、鋼板でロール成形された野縁受１０，ハンガー２０，連結補強具３０よりなる。この連結補強具３０は、野縁受１０の両側に覆い被さる一対の縦部２２，２４を備えたハンガー２０とこれに係止された野縁受１０との間の連結をさらに補強する。
【００１３】
野縁受１０はウェブ１１の上下にフランジ１２，１２を有しており、この下に天井ボードを支持するための野縁が取り付けられる。ハンガー２０は水平な連結部２１の下に第一縦部２２が垂下し、水平な底部２３を経て第二縦部２４が垂直に立ち上がり、フック部を形成する。第二縦部２４の先端には切り欠き状に係止部２５が形成され、第一、第二縦部２２，２４の間に挿入された野縁受１０が係止部２５と係合し、通常の脱落は抑制される。連結部２１の孔２１ａはスラブからの吊りボルトがナットで固着され、天井下地連結補強構造１が垂下支持される。
【００１４】
地震等の衝撃荷重が加わった際にハンガー２０のフック部に開き側の変形が生じると、野縁受１０がハンガー２０に対し相対的に移動して天井下地に変形を生じる。係止部２５との係合が解かれるときはさらに変形が増大し、フック部が開いて天井脱落の虞が生じる。これを防止するには、フック部の開きを防止することが効果的であり、連結補強具３０はその開き防止に役立つ。
【００１５】
連結補強具３０は通常の天井下地構造に対し後施工で取り付けられる。この連結補強具３０は、野縁受１０の上片から両側に覆い被さる固定部３１と、各固定部３１から各縦部２２，２４に至るまで伸び縦部２２，２４を野縁受け外側から挟み込む挟み込み部３２，３２とを備えている。
【００１６】
連結補強具３０の取り付けに際しては、まずハンガー２０の近傍で野縁受１０の上側から一対の縦部３１ｂ、３１ｂで野縁受１０を挟み込むように下ろし、さらに横方向に連結補強具３０をハンガー２０に近接させて、挟み込み部３２，３２間にハンガー２０の第一、第二縦部２２，２４を挟み込む。この状態で、貫通孔３１ｃに上からネジ３ａを貫通させると共にタップをしつつ野縁受１０のフランジ１２に螺合させる。上からネジ３ａを螺合させるため、作業が容易であり、簡素な施工となる。さらに、図２の如くウェブ１１側の貫通孔３２ａにネジ３ｂを螺合させても施工は完了する。
【００１７】
なお、螺合箇所は、貫通孔３１ｃのみであっても構わない。作業面からいえば、簡易な施工となり作業効率が向上する。しかし、より強固に補強するためには、上述の如くウェブ１１側の貫通孔３２ａにおいてもネジ３ｂを螺合させることが望ましい。
【００１８】
施工後は、図４の如く第一、第二縦部２２，２４が挟み込み部３２，３２間に挟まれて押圧され、第一、第二縦部２２，２４間の開きが防止される。また、ハンガー２０と野縁受１０及び連結補強具３０との水平移動はネジ３ｂにより防止される。なお、作用的には挟み込み部３２の固定部３１近傍部分が第一、第二縦部２２，２４間の開きを最も有効に抑制するので、挟み込み部３２は開き防止の意味では第一、第二縦部２２，２４の全てを覆う必要はないが、貫通孔３２ａ，３２ａを対称的に設けて連結補強具３０の方向性の制限を解除するには、挟み込み部３２を図示のように長くすることに意味がある。
【００１９】
さらに強固なハンガー２０のフック部開きを抑制するには、図５に示すように、連結補強具３０と類似した連結補強具４０を連結補強具３０と共に用い、ハンガー２０の左右双方から挟み込み部３２，４２で第一、第二縦部２２，２４を挟むとよい。この場合、ネジ３ｂを設けずとも左右方向の脱落は防止される。
【００２０】
なお、野縁受１０はチャンネル材に限られず、また、ハンガー２０も上述の形状のものに限られるものではなく、本発明の趣旨を逸脱せずに種々の改変が可能である。すなわち、本発明は、地震等の衝撃応力により支持部材が変形して被支持部材を脱落させる可能性のある部分の変形を防止又は抑制する手段を後施工により取り付け可能に構成したものである。
【産業上の利用可能性】
【００２１】
本発明は、野縁受及びハンガーの連結補強具並びに天井下地補強施工方法として利用することができる。さらに、天井下地以外の部材及びハンガーの連結補強具としても転用が可能である。
【図面の簡単な説明】
【００２２】
【図１】本発明に係る連結補強具を利用した天井下地連結補強構造の斜視図である。
【図２】図１の背面側の斜視図である。
【図３】図１の分解斜視図である。
【図４】図１のＡ−Ａ断面図である。
【図５】他の実施形態を示す図１相当図である。
【符号の説明】
【００２３】
１：天井下地連結補強構造、３ａ、３ｂ：ネジ、１０：野縁受、１１：ウェブ、１２：フランジ、２０：ハンガー、２１：連結部、２１ａ：孔、２２：第一縦部、２３：底部、２４：第二縦部、２５：係止部、３０：連結補強具、３１：固定部、３１ａ：上部、３１ｂ：縦部、３１ｃ：貫通孔、３２：挟み込み部、３２ａ：貫通孔、４０：連結補強具、４１：固定部、４２：挟み込み部
【図１】
0004663438.tif 000002
【図２】
0004663438.tif 000003
【図３】
0004663438.tif 000004
【図４】
0004663438.tif 000005
【図５】
0004663438.tif 000006